(57)【要約】特性の異なる２以上の受信部（１０１，１０２）を具える通信装置において、入力信号内の受信すべきデータを検出するデータ検出部（１０３）と、検出結果と受信部の特性に基づいて、２以上の受信部のうちのいずれか１の受信部を選択する選択部（１０４）とを設ける。例えば、選択部は、入力信号内に受信すべきデータが含まれない場合に、データを受信していないときの消費電力が他の受信部の消費電力よりも小さい受信部を選択し、受信すべきデータが含まれる場合に、入力信号の伝搬環境に応じて最も良好な受信品質が期待される受信部を選択する。これにより、通信品質を高く維持したまま省電力運用が可能となる。
2010128612.tif 000002
【特許請求の範囲】
【請求項１】
通信装置であって、
特性の異なる２以上の受信部と、前記２以上の受信部のうちのいずれか１の受信部を選択する選択部と、入力信号内の受信すべきデータを検出するデータ検出部とを具え、
前記選択部は、前記データ検出部の検出結果と前記受信部の特性に基づいて、前記２以上の受信部のうちのいずれか１の受信部を選択することを特徴とする通信装置。
【請求項２】
前記２以上の受信部は、少なくとも回路構成が異なる２以上の受信部を含むことを特徴とする請求項１記載の通信装置。
【請求項３】
前記２以上の受信部は、少なくとも受信方式が異なる２以上の受信部を含むことを特徴とする請求項１または２記載の通信装置。
【請求項４】
前記選択部は、前記データ検出部が前記入力信号内に前記データを検出しないとき、前記検出結果および前記特性に基づいて、前記２以上の受信部のうちのいずれか１の受信部を選択することを特徴とする請求項１乃至３のいずれかに記載の通信装置。
【請求項５】
前記２以上の受信部のうちの第１の受信部は、前記データを受信していないときの消費電力が他の受信部の消費電力よりも小さく、
前記選択部は、前記入力信号内に前記データがない場合に、前記第１の受信部を選択することを特徴とする請求項１乃至４のいずれかに記載の通信装置。
【請求項６】
前記選択部は、前記２以上の受信部のいずれか１の受信部を選択したとき、他の受信部を低消費電力状態に設定することを特徴とする請求項１乃至５のいずれかに記載の通信装置。
【請求項７】
第２の選択部をさらに備え、
前記選択部が前記２以上の受信部のうちの第２の受信部を選択したとき、前記第２の選択部は前記入力信号を前記第２の受信部に入力することを特徴とする請求項１乃至６のいずれかに記載の通信装置。
【請求項８】
前記入力信号が入力されていないときの、前記第２の受信部の消費電力は、前記入力信号が入力されているときの前記第２の受信部の消費電力よりも小さいことを特徴とする請求項７記載の通信装置。
【請求項９】
前記入力信号を入力して第１の受信信号を出力し、かつ前記入力信号内のデータを検出しないときデータ非検出信号を出力する第1の受信部と、
前記入力信号を入力して第２の受信信号を出力し、かつ前記入力信号内のデータを検出したときデータ検出信号を出力する第２の受信部と、
前記第１の受信信号または前記第２の受信信号を選択し、第３の受信信号を出力する選択部を備え、
前記データを受信していないときの前記第１の受信部の特性と、前記データを受信していないときの前記第２の受信部の特性は異なり、
前記第1の受信部は、前記データ検出信号が出力されたとき、受信動作を停止し、
前記第２の受信部は、前記データ非検出信号が出力されたとき、受信動作を停止し、
前記選択部は、前記パケット非検出信号が出力されたとき前記第１の受信信号を選択し、前記パケット検出信号が出力されたとき前記第２の受信信号を選択することを特徴とする通信装置。
【請求項１０】
前記通信装置が無線通信装置であり、前記受信すべきデータがパケットデータであるとともに、前記選択部は、前記入力信号内にパケットデータが含まれる場合に、無線信号の伝搬環境に応じて最も良好な受信品質が期待される受信部を選択することを特徴とする請求項１乃至６のいずれか１項に記載の通信装置。
【請求項１１】
前記データ検出部は、無線通信の制御チャネルの復号を第１の所定回数だけ連続で失敗した場合に受信すべきデータがないと判断し、前記制御チャネルの復号を第２の所定回数だけ連続で成功した場合に受信すべきデータがあると判断するとともに、前記第１の所定回数が前記第２の所定回数より大きいことを特徴とする請求項１０に記載の通信装置。
【請求項１２】
特性の異なる２以上の受信部を具える通信装置の制御方法であって、入力信号内の受信すべきデータの有無を判定するステップと、前記受信すべきデータの有無と前記受信部の特性に基づいて、前記２以上の受信部のうちのいずれか１の受信部を選択するステップとを具えることを特徴とする制御方法。
【請求項１３】
前記選択するステップは、前記入力信号内に受信すべきデータが含まれない場合に、データを受信していないときの消費電力が他の受信部の消費電力よりも小さい受信部を選択することを特徴とする請求項１２に記載の制御方法。
【請求項１４】
さらに、前記２以上の受信部のうちのいずれか１の受信部を選択したとき、他の受信部を低消費電力状態に設定するステップを具えることを特徴とする請求項１２または１３に記載の制御方法。
【請求項１５】
前記選択するステップは、前記入力信号内に受信すべきデータが含まれる場合に、前記入力信号の伝搬環境に応じて最も良好な受信品質が期待される受信部を選択することを特徴とする請求項１０乃至１４のいずれか１項に記載の制御方法。
【請求項１６】
前記通信装置が無線通信装置であるとともに、前記受信すべきデータの有無を判定するステップは、無線通信の制御チャネルの復号を第１の所定回数だけ連続で失敗した場合に受信すべきデータがないと判定し、前記制御チャネルの復号を第２の所定回数だけ連続で成功した場合に受信すべきデータがあると判定するとともに、前記第１の所定回数が前記第２の所定回数より大きいことを特徴とする請求項１２乃至１５のいずれか１項に記載の制御方法。
【請求項１７】
特性の異なる２以上の受信部を具える通信装置の制御プログラムであって、入力信号内の受信すべきデータの有無を判定するステップと、前記受信すべきデータの有無と前記受信部の特性に基づいて、前記２以上の受信部のうちのいずれか１の受信部を選択するステップとを前記通信装置に実行させることを特徴とする制御プログラム。
【請求項１８】
前記選択するステップは、前記入力信号内に受信すべきデータが含まれない場合に、データを受信していないときの消費電力が他の受信部の消費電力よりも小さい受信部を選択することを特徴とする請求項１７に記載の制御プログラム。
【請求項１９】
さらに、前記２以上の受信部のうちのいずれか１の受信部を選択したとき、他の受信部を低消費電力状態に設定するステップを前記通信装置に実行させることを特徴とする請求項１７または１８に記載の制御プログラム。
【請求項２０】
前記選択するステップは、前記入力信号内に受信すべきデータが含まれる場合に、前記入力信号の伝搬環境に応じて最も良好な受信品質が期待される受信部を選択することを特徴とする請求項１７乃至１９のいずれか１項に記載の制御プログラム。
【請求項２１】
前記通信装置が無線通信装置であるとともに、前記受信すべきデータの有無を判定するステップは、無線通信の制御チャネルの復号を第１の所定回数だけ連続で失敗した場合に受信すべきデータがないと判定し、前記制御チャネルの復号を第２の所定回数だけ連続で成功した場合に受信すべきデータがあると判定するとともに、前記第１の所定回数が前記第２の所定回数より大きいことを特徴とする請求項１７乃至２０のいずれか１項に記載の制御プログラム。
【発明の詳細な説明】
【技術分野】
【０００１】
本発明は、通信端末に関する。より具体的には、本発明は、入力信号中の受信すべきデータの有無によって特性の異なる受信部を選択する通信端末、その制御方法、およびプログラムに関する。
【背景技術】
【０００２】
現在、国際規格である３ＧＰＰ（Third Generation Partnership Project）で、第３世代移動通信システムの１方式であるＷ−ＣＤＭＡ（Wideband Code Division Multiple Access）の標準化が進められている。この標準化のテーマの１つとして、下りリンクで数十Ｍｂｐｓの高速伝送を提供するＨＳＤＰＡ（High Speed Downlink Packet Access）が規定されている。ＨＳＤＰＡは、適応符号化変調方式（Adaptive Modulation and Coding, ＡＭＣ）を採用する。ＡＭＣは例えば、４値位相変位変調（Quadrature Phase Shift Keying、「ＱＰＳＫ」）方式と１６値直交振幅変調（Quadrature Amplitude Modification、「ＱＡＭ」）方式とを基地局−移動局間の無線環境に応じて適応的に切り替えることを特徴とする。【０００３】
ＨＳＤＰＡは、Ｈ−ＡＲＱ（Hybrid Automatic Repeat reQuest）方式を採用している。Ｈ−ＡＲＱ方式では、移動局が基地局からの受信データについて誤りを検出した場合に、移動局からの要求により基地局からデータが再送される。移動局は、既に受信済みのデータと再送されたデータとの双方を用いて誤り訂正復号化を行う。このように、Ｈ−ＡＲＱでは、移動局が、既に受信したデータが誤りを含むデータであっても、それを有効活用することで、誤り訂正復号の利得が高まり、再送回数が抑えられる。【０００４】
３ＧＰＰに準拠したＷ−ＣＤＭＡ通信システムにおいて、ＨＳＤＰＡを使用する場合には、ＡＭＣ方式が採用されている。このＡＭＣ技術は、回線品質の変動に応じて、誤り訂正における符号化のレートや、変調方式を適応的に変更する技術である。ＡＭＣ技術では、回線品質が良好なときには、高速レートとなる符号化／変調方式を用いることにより伝送レートを高くする。回線品質が良好でないときには、低速レートとなる符号化／変調方式を用いることにより伝送レートを低くして、確実にパケットが伝送されるようにする。【０００５】
一般に、ＨＳＤＰＡ対応の受信方式には、マルチパスの影響を軽減する等化受信（Equalization）方式と、パス間干渉を考慮せずマルチパス合成信号とノイズとの比を最大にするＲＡＫＥ受信方式の二種類がある。等化受信方式は、逆行列演算などの膨大な処理を必要とするため、装置の消費電力が大きい。一方、ＲＡＫＥ受信方式は、実装が簡単であり、消費電力が小さい。従来、受信側が最適な受信品質を得るため、上記２つの受信方式を両方具え、通信環境により受信方式を切り替える最適化制御が行われていた（例えば特許文献１、２）。【０００６】
特許文献１は、システム全体のスループットを向上させるために、信号対ノイズ比（Signal to Interference Ratio。以降、「ＳＩＲ」という。）、ドップラーシフト量、および干渉電力に基づいて、ＲＡＫＥ受信もしくは線形等化のいずれかの受信方式を選択することを開示する。特許文献２は、高速伝送時には伝送スロット内に情報信号の複写部分（Cyclic Prefix, ＣＰ）を設けることにより受信機における効果的な等化処理を可能とし、低速伝送時には伝送スロット内にＣＰを設けることなくデータを伝送することを開示する。この結果、各種の通信環境で満足する通信品質が得られる。これらの従来技術はいずれも、通信品質を向上するために受信方式を切り替えるものである。
【先行技術文献】
【特許文献】
【０００７】
【特許文献１】特開２００４−１５９２８４号公報（第７頁、図１）
【特許文献２】特開２００５−３３４３０号公報（第８−９頁、図１０）
【発明の概要】
【発明が解決しようとする課題】
【０００８】
端末ユーザがパケットサービスを利用するとき、サービスの種類によってパケット通信中（ＨＳＤＰＡ通信に必要な物理チャネルがＯＰＥＮ）の状態にあっても、実際にパケットデータを受信している期間は短く、受信していない期間が長い場合が多い。また、電波状態によって等化方式とＲＡＫＥ方式を切り替えるシステムにおいて、実際の使用環境では等化方式を選択している割合が高いのが実状である。パケットデータを受信していない期間では、端末はＨＳＤＰＡ制御チャネルのみの復号を行うため、ＲＡＫＥ受信方式でも十分対応できる。このとき、通信路の環境によって等化方式が選択されていると、端末の消費電力が無駄に大きくなってしまうという問題が発生する。【０００９】
本発明はこの問題に鑑みなされたものであり、受信信号中に受信すべきデータが含まれないときに、より好ましい受信部を選択する通信端末を提供することを目的とする。
【課題を解決するための手段】
【００１０】
上記目的を達成するため、本発明の通信装置は、動作特性の異なる２以上の受信部と、入力信号内の受信すべきデータの有無を判定するデータ検出部と、受信すべきデータの有無と受信部の特性に基づいて、前記２以上の受信部のうちのいずれか１の受信部を選択する選択部とを具えることを最も主要な特徴とする。【００１１】
選択部は、入力信号内に受信すべきデータがない場合に、データを受信していないときの消費電力が他の受信部の消費電力よりも小さい受信部が選択されることが好ましい。【００１２】
さらに、２以上の受信部のうちのいずれか１の受信部を選択したとき、他の受信部が低消費電力状態に設定されることが好ましい。【００１３】
選択部は、入力信号内に受信すべきデータがある場合に、入力信号の伝搬環境に応じて最も良好な受信品質が期待される受信部が選択されることが好ましい。【００１４】
前記通信装置は無線通信装置であるとともに、前記データ検出部は、無線通信の制御チャネルの復号を第１の所定回数だけ連続で失敗した場合に受信すべきデータがないと判定し、制御チャネルの復号を第２の所定回数だけ連続で成功した場合に受信すべきデータがあると判定されるとともに、第１の所定回数が第２の所定回数より大きいことが好ましい。
【発明の効果】
【００１５】
本願発明の通信端末、通信制御方法、および通信制御プログラムは、受信信号中の受信すべきデータの有無をモニタし、モニタ結果に基づいて、特性が異なる２以上の受信部から１つの受信部を選択する。そのため、受信すべきデータの有無に応じて、適切な受信部を選択することができるという効果がある。【００１６】
受信すべきデータがない場合に、消費電力のより小さい受信部が選択されて受信処理が行われ、他の受信部が低消費電力状態に設定されれば、装置の省電力化または電池の長寿命化が可能である。【００１７】
また、受信すべきデータがある場合は入力信号の伝播環境に応じて受信方式が選択されて最良の受信品質が得られるようにすれば、受信品質を高度に維持しつつ装置の省電力化が可能となる。【００１８】
また、所定回数だけ連続で制御チャネルを復号できるか否かにより受信すべきデータの有無が判断されるようにすれば、散発的な変動により頻繁に受信部が切り替わる事態を回避することができる。また、受信すべきデータがあることを早期に検出してデータの受信に適した受信部が選択されるので、受信品質を高度に維持することができる。
【図面の簡単な説明】
【００１９】
【図１】ＨＳＤＰＡの物理無線チャネルを説明するための概略図である。
【図２】本発明の第１の実施形態にかかる無線通信端末の機能ブロック図である。
【図３】本発明の第１の実施形態にかかる無線通信端末の制御方法を説明するためのフローチャートである。
【図４】図３のステップＳ７の詳細を示すフローチャートである。
【図５】本発明の第１の実施形態にかかる、パケットの有無の判定方法の一実施例を説明するためのイメージ図である。
【図６】本発明にかかる方法の一実施例を説明するためのイメージ図である。
【図７】本発明にかかる方法の一実施例を説明するためのイメージ図である。
【図８】本発明にかかる方法の一実施例を説明するためのイメージ図である。
【図９】本発明にかかる方法の一実施例を説明するためのイメージ図である。
【図１０】本発明にかかる方法の一実施例を説明するためのイメージ図である。
【図１１】本発明の第２の実施形態にかかる受信装置の機能ブロック図である。
【図１２】図１１に示す第２実施形態の受信装置の変形例の構成を示すブロック図である。
【図１３】図１１に示す第２実施形態の受信装置の変形例の構成を示すブロック図である。
【図１４】本発明の第３の実施形態にかかる受信装置の機能ブロック図である。
【発明を実施するための形態】
【００２０】
本発明を実施するための最良の形態について、添付の図面を参照しながら以下に詳細に説明する。
【００２１】
（第１の実施形態）
図１は、第１の実施形態のＨＳＤＰＡ通信システムの概要を説明するためのイメージ図である。本図に示すように、ＨＳＤＰＡに用いられる主な物理無線チャネルには、ＨＳ−ＳＣＣＨ（High Speed-Shared Control Channel）、ＨＳ−ＰＤＳＣＨ（High Speed-Physical Downlink Shared Channel）、およびＨＳ−ＤＰＣＣＨ（High Speed-Dedicated Physical Control Channel）がある。ＨＳ−ＳＣＣＨとＨＳ−ＰＤＳＣＨは、双方とも下り方向（すなわち、基地局から移動局への方向であるダウンリンク）の共通チャネル（Shared channel）である。ＨＳ−ＳＣＣＨは、ＨＳ−ＰＤＳＣＨにて送信されるデータに関する各種パラメータを送信する制御チャネルである。
【００２２】
ＨＳ−ＤＰＣＣＨは、上り方向（すなわち、移動局から基地局への方向）の個別の制御チャネル（dedicated control channel）である。ＨＳ−ＤＰＣＣＨは、ＨＳ−ＰＤＳＣＨで受信したデータのエラーの有無に応じて、移動局が基地局に対してそれぞれＡＣＫ信号またはＮＡＣＫ信号を送信するために用いられる。すなわち、ＨＳ−ＤＰＣＣＨは、ＨＳ−ＰＤＳＣＨを介して送られたデータの受信結果を送信するためのチャネルである。
【００２３】
ＨＳＤＰＡにおける物理チャネルの処理時間単位はＴＴＩ（Transmission Time Interval）であり、１ＴＴＩは２ｍｓ（ミリ秒）である。ＨＳ−ＰＤＳＣＨの復号性能は、受信方式によって大きく左右される。移動局が低速で移動している場合には、等化器が用いられることにより、マルチパスの影響が軽減される。一方、移動局が高速で移動している場合や、他のセルからの干渉電力が大きい場合には、ＲＡＫＥ受信方式の方が等化器と比較して良好な受信特性を得ることができる。これらの受信方式は公知であるため、これ以上の詳細な説明は省略する。
【００２４】
図２は、本発明にかかる無線通信端末（移動局）の機能ブロック図である。本図に示すように、本発明の無線通信端末は、前処理部１と、選択制御部２と、選択部３と、ＲＡＫＥ受信部４と、等化受信部５と、復号部６と、パケット検出部７とを具える。これらの構成要素はハードウェア、ソフトウェア、ファームウェア、またはこれらの組み合わせとして無線通信端末に実装されるものであり、当業者が無線通信端末の小型化やメンテナンス性などを考慮して適宜構成することができる。
【００２５】
なお、無線通信端末は、その他に、例えば携帯電話機として必要な多くの機能を具えるが、本発明と直接関係しない機能およびその説明は本明細書では省略される。また、ＨＳＤＰＡの通信に必要となる物理チャネルのデコードやエンコード処理についてもここでは省略される。
【００２６】
前処理部１は、ＨＳＤＰＡの受信信号を受け取って、チャネル推定などの処理を行う。選択制御部２は、前処理部１の出力に基づいて、パケット受信時に使用する受信方式として、ＲＡＫＥ方式または等化方式のいずれか一方を選択する。パケット受信時であって、無線通信端末が比較的低速で移動している場合には、選択制御部２は等化受信方式を選択してマルチパスの影響を軽減する。パケット受信時であって、無線通信端末が高速で移動している場合や他セルからの干渉電力が大きい場合には、選択制御部２はＲＡＫＥ受信方式を選択し、最高の通信品質を得るようにする。
【００２７】
選択部３は、選択制御部２またはパケット検出部７の制御により、ＲＡＫＥ受信部４と等化受信部５の切り替えを行う。選択部３は、パケット検出部７から制御信号が出力されている場合は制御信号に基づく選択を優先し、制御信号が出力されていない場合は選択制御部２の制御に従う。
【００２８】
ＲＡＫＥ受信部４は、ＲＡＫＥ受信方式で受信データの処理を行う。等化受信部５は、等化方式で受信データの処理を行う。等化方式は、逆行列演算などの膨大な処理を必要とするため、装置の消費電力が大きい。一方、ＲＡＫＥ方式は実装が簡単で、消費電力が小さい。これらの受信部４、５で物理チャネル信号は逆拡散される。
【００２９】
復号部６は、ＨＳ−ＳＣＣＨ復号部６ａと、ＨＳ−ＰＤＳＣＨ復号部６ｂとを具える。ＨＳ−ＳＣＣＨ復号部６ａは、ＨＳ−ＳＣＣＨの入力（直交関係にあるＩ、Ｑ成分とする）を受けてＨＳ−ＳＣＣＨ信号を復号する。ＨＳ−ＰＤＳＣＨ復号部６ｂは、ＨＳ−ＰＤＳＣＨ信号の復号を行って必要な構成要素（図示せず）へ出力する。
【００３０】
復号部６の出力はまた、パケット検出部７に入力される。パケット検出部７は、後述する手順により、受信信号内のパケットデータの有無を判定する。そして、パケットデータがない期間と判断された場合、受信方式を強制的にＲＡＫＥ方式に固定する。
【００３１】
次に、図３−１０を参照して、本発明の無線通信端末の制御方法を説明する。図３は、図２に示す無線通信端末の動作を説明するためのフローチャートである。例えば、ユーザの操作によって無線通信端末が、スリープ状態または他の動作モードから、ＨＳＤＰＡ高速パケット通信状態に入ると（ステップＳ１：Ｙ）、ＨＳＤＰＡ各処理部の初期化処理が行われる（ステップＳ２）。受信された受信信号は前処理部１に入力され、チャネル推定などの前処理が行われる（ステップＳ３）。そして、推定した通信路の状況により、選択制御部２が最も良好な通信品質を期待できる受信方式（本例ではＲＡＫＥ方式か等化方式）が選択される（ステップＳ４）。ここでは、予め定められた条件によって、例えば高速移動時や他セルからの干渉電力が大きい場合はＲＡＫＥ方式、そうでない場合は等化方式が選択されるようプログラミングされている。以降、選択された受信方式で、受信処理が行われる（ステップＳ５）。そして、受信処理後の信号が復号部６に入力される。
【００３２】
復号部６では、まずＨＳ−ＳＣＣＨ復号部６ａと、復号部６ａとにより、ＨＳ−ＳＣＣＨの復号が行われる（ステップＳ６）。その結果に応じて、パケット検出部７によりパケットデータの有無の判定が行われる（ステップＳ７）。この判定処理の詳細は後述される。ここでパケットデータが存在する期間でないと判断された場合（ステップＳ８：Ｙ）、パケット検出部７が強制的にＲＡＫＥ受信方式を指定する（ステップＳ９）。これにより選択部３が受信方式をＲＡＫＥ受信方式に切り替え、等化方式で受信する場合に比較して省電力化が達成される。なお、パケットデータがない場合はＨＳ−ＳＣＣＨのみの復号となるため、ＲＡＫＥ受信方式で十分に対応可能である。
【００３３】
一方、パケットデータが存在する期間であると判断された場合、パケット受信時における通常の受信方式選択制御が行われる（ステップＳ４へ）。これにより、通信環境に応じて最適スループットとなる受信方式（ＲＡＫＥ方式または等化方式）が選択される。
【００３４】
ＨＳ−ＳＣＣＨ復号が成功した場合は、ＨＳ−ＰＤＳＣＨ復号部６ａにてＨＳ−ＰＤＳＣＨ復号処理が行われ（ステップＳ１０）、復号信号が出力される（ステップＳ１１）。そして、ＨＳＤＰＡ通信が終了するまで（ステップＳ１２：Ｎ）、無線通信端末はステップＳ３以降の処理を繰り返す。
【００３５】
ステップＳ７におけるパケットデータ有無の判定処理の詳細フローを図４に示す。無線通信端末の起動時または通信の開始時は、パケットデータが存在する期間であるものとして処理が開始される（ステップＳ２１）前のＴＴＩまでパケットデータが存在する期間と判断される場合（ステップＳ２２：Ｙ）、まず現在のＴＴＩ（現ＴＴＩ）のＨＳ−ＳＣＣＨの復号結果が確認される（ステップＳ２３）。ここで、現ＴＴＩのＨＳ−ＳＣＣＨ復号が成功すれば（ステップＳ２３：Ｙ）、現ＴＴＩもパケットデータが存在する期間と判断される（ステップＳ２６へ）。
【００３６】
もし、現ＴＴＩのＨＳ−ＳＣＣＨ復号が成功しなければ（ステップＳ２３：Ｎ）、ＨＳ−ＳＣＣＨ復号が失敗した回数（累積復号失敗回数）Ｎ１をカウントアップする（ステップＳ２４）。次に、カウントした値Ｎ１が、予め設定された閾値ＴＨ１（例えば３０）と比較され（ステップＳ２５）、Ｎ１が閾値ＴＨ１より小さい場合はパケットデータが存在する期間と判断される（ステップＳ２６）。一方、Ｎ１が閾値ＴＨ１を越えた場合には、カウンタがリセットされ（ステップＳ３２）、次のＴＴＩからパケットデータが存在しない期間と判断される（ステップＳ３０）。
【００３７】
ステップＳ２２で、前のＴＴＩまでパケットデータが存在しない期間と判断された場合（ステップＳ２２：Ｎ）、まず現ＴＴＩのＨＳ−ＳＣＣＨ復号の結果が確認される（ステップＳ２７）。もし、現ＴＴＩのＨＳ−ＳＣＣＨ復号が成功しなければ、現ＴＴＩでもパケットデータが存在しない期間と判断される（ステップＳ３０へ）。もし、現ＴＴＩのＨＳ−ＳＣＣＨ復号が成功すれば、ＨＳ−ＳＣＣＨ復号が成功した回数（累積複号成功回数）Ｎ２がカウントアップされる（ステップＳ２８）。カウントされた値Ｎ２は、予め設定された閾値ＴＨ２（例えば３）と比較され、Ｎ２が閾値ＴＨ２より小さい場合は現ＴＴＩもパケットデータが存在しない期間と判断され（ステップＳ３０）、閾値ＴＨ２を越えた場合はカウンタがリセットし（ステップＳ３１）、次のＴＴＩからパケットデータが存在する期間と判断される（ステップＳ２６）。  ステップＳ２６およびステップＳ３０の判定が行われた後は、処理は、図３のステップＳ８に移る。
【００３８】
本実施形態におけるパケットデータ有無の判定処理のイメージが、図５以降に示される。本実施形態では、ＴＨ１＝３０、ＴＨ２＝３とする。図５のケースでは、パケットデータが存在しない期間が続き、その後２つのＴＴＩでＨＳ−ＳＣＣＨの復号が成功するが、それ以降のＴＴＩで再び失敗している。この場合、ＨＳ−ＳＣＣＨ復号成功の累積複号成功回数Ｎ２＝２が閾値ＴＨ２＝３未満であるため、パケットデータが存在しない期間の継続と判断される。
【００３９】
図６のケースでは、パケットデータが存在しない期間が続き、その後にＨＳ−ＳＣＣＨの復号が連続して４回以上成功している。このとき、連続成功回数が閾値ＴＨ２＝３未満である期間はパケットデータが存在しない期間と判断されるが、連続して３つのＴＴＩのＨＳ−ＳＣＣＨ復号が成功した後はパケットデータが存在する期間の開始と判断される。
【００４０】
図７のケースでは、ＨＳ−ＳＣＣＨの復号が継続して失敗しており、継続してパケットデータが存在しない期間と判断される。
【００４１】
図８のケースでは、パケットデータが存在する期間が続き、その後、連続した４個のＴＴＩでＨＳ−ＳＣＣＨ復号が失敗するが、その後再び連続してＨＳ−ＳＣＣＨ復号が成功している。この場合、累積複号失敗回数Ｎ１＝４が閾値ＴＨ１＝３０より小さいため、パケットデータが存在する期間の継続と判断される。
【００４２】
図９のケースでは、パケットデータが存在する期間が続き、その後連続してＨＳ−ＳＣＣＨ復号が失敗している。この場合、ＨＳ−ＳＣＣＨ復号の累積複号失敗回数Ｎ１が３０未満の期間はパケットデータが存在する期間と判断され、Ｎ１が３０以上となったらパケットデータが存在しない期間の開始と判断される。
【００４３】
図１０のケースでは、ＨＳ−ＳＣＣＨの復号が継続して成功しており、パケットデータが存在する期間の継続と判断される。
【００４４】
このように、所定の閾値以上の回数だけ同じ判定結果が連続した場合にパケットデータの有無の判定結果を切り替えるよう制御される。そのため、何らかの要因により単発的にＨＳ−ＳＣＣＨ復号の失敗／成功が切り替わるような揺らぎが排除され、真に送信側のパケットデータの有無が切り替わったタイミングが的確に検出される。
なお、パケットデータがないと判断される場合の閾値が比較的高く設定されると、実際にパケットデータが存在するにもかかわらず、受信側でこれを無視してしまうといった事態を適切に回避することができ、通信品質の劣化を避けることができる。逆に、パケットデータがあると判断される場合の閾値が比較的低く設定されると、実際にパケットデータの送信が開始されたタイミングを早期に検出することができる。そのため、適切な通常の受信方式の選択制御を行うことができ、受信性能を高く維持することができる。
【００４５】
このように、パケットデータを受信していない期間が検出され、当該期間中の受信方式が強制的に消費電力の少ない受信方式に切り替えられることにより、受信側の無駄な電力消費が抑えられる。また、パケットデータが存在しない期間からパケットデータが存在する期間への遷移が速やかに検知されるため、受信性能が劣化することがなく、常に受信性能が高い水準に保たれる。
【００４６】
以上、本発明の第１の実施形態について詳細に説明されたが、本発明は上記実施形態に限定されるものではなく、他の様々な変形例、変更例として実現することができる。本発明は、本発明の基本的な特性から逸脱することなく、ここで特に述べた以外の分野においても実施することができる。本書で述べた実施形態は、総ての観点からして例示目的であって、限定的なものではないと考えるべきである。そして、別記の特許請求の範囲の意味と等価の範囲から由来する総ての変形例は、本発明に包含されると意図されるべきである。
【００４７】
例えば、上記実施例では、ＨＳＤＰＡパケット通信において、ＨＳ−ＳＣＣＨの復号結果によってパケットデータの有無が判断される。同様に、パケットデータの有無の判断はＨＳＤＰＡ以外の通信方式においても行うことができる。すなわち、伝搬環境に応じて無線通信端末がＲＡＫＥ受信方式と適応等化器受信方式を切り替えて使用する場合、物理制御チャネルの復号情報によりパケットデータの有無が判断されて受信方式が切り替えられればよい。これによって、無駄な電力消費を抑えることができる。
また、上記実施例では、ＲＡＫＥ受信方式と等価受信方式が想定される。しし、今後に規定あるいは開発される、これらの方式に類似または新規の受信方式へ本発明を適用することを排除するものではない。特に、受信方式は３種類以上あって、無線信号の伝搬環境やパケットの有無によっていずれか１つの方式を選択するような構成でもよい。さらに、上記実施例では、閾値ＴＨ１＝３０、ＴＨ２＝３としているが、これらの閾値はＳＩＲなど実際の通信状況や無線通信端末の受信精度等の実施環境に応じて適宜定めることができる。好適な実施例では、ＴＨ１は１乃至１０、ＴＨ２は１０乃至５０のＴＴＩに設定してもよい。
【００４８】
（第２の実施形態）
本発明の第２の実施形態の受信装置について説明される。図１１は、本発明の第２の実施形態の受信装置の構成を示すブロック図である。本実施形態の受信装置１００は、第１の受信部１０１、第２の受信部１０２、データ検出部１０３、受信部選択部１０４、および処理部１０５を具える。
【００４９】
第１の受信部１０１は、入力信号２０１を入力し、所定の受信処理を行い、受信信号２０２を出力する。第２の受信部１０２は、入力信号２０１を入力し、所定の受信処理を行い、受信信号２０３を出力する。ここでの受信処理とは、増幅、検波、復調等、入力信号２０１を受信して受信信号２０２または受信信号２０３を出力するための、所定の処理を行うことを意味する。
【００５０】
第１の受信部１０１と第２の受信部１０２は、受信動作に関して異なる特性を備える。例えば、第１の受信部１０１と第２の受信部１０２は、異なる回路構成または受信方式等を採用しており、異なるハードウェアを用いて構成される。そのため、第１の受信部１０１と第２の受信部１０２は、受信中の特性、例えば、消費電力または発熱量、受信感度等が異なる。
【００５１】
そのため、入力信号２０１中に受信すべきデータが存在しないとき、特性面を考慮すると、第１の受信部１０１または第２の受信部１０２のいずれか一方による受信動作の方が、他方による受信動作よりも好ましい。本実施形態では、入力信号２０１中に受信すべきデータが存在しないとき、第１の受信部１０１による受信動作の方が好ましいものとする。
【００５２】
なお、入力信号２０１中に受信すべきデータが存在しないときとは、例えば、現在受信中の入力信号２０１と、次に受信する入力信号２０１との間の空白期間が考えられる。さらに、例えば、入力信号２０１中の受信すべきデータを検出する前の状態、いわゆる待ち受け状態等も、入力信号２０１中に受信すべきデータが存在しないときに該当する。
【００５３】
処理部１０５は、受信信号２０４の所定の処理を行い、処理後受信信号２０５を出力する。所定の処理とは、受信信号２０４中のフレームを検出し、そのフレームの構成を解析して受信データを抽出することなどを意味する。さらに、フレーム中のデータが符号化、あるいは暗号化されたデータである場合には、そのデータを復号する処理も、上記の所定の処理に含まれる。
【００５４】
データ検出部１０３は、処理後受信信号２０５に受信すべきデータが含まれるか否かを検出する。そして、処理後受信信号２０５に受信すべきデータが含まれることを検出したとき、データ検出信号２０６を出力する。処理後受信信号２０５に受信すべきデータが含まれるか否かを検出する方法としては、例えば、受信した信号に所定のビット列が含まれることを検出する方法がある。ビット列の例としては、プリアンブルや、パケットの送信先が受信装置１００であることを示すアドレス情報等がある。
【００５５】
選択部１０４は、データ検出信号２０６に基づいて、受信信号２０２または受信信号２０３を選択し、受信信号２０４として出力する。すなわち、データ検出信号２０６が出力されたとき、選択部１０４は受信信号２０３を選択する。データ検出信号２０６が出力されないときは、選択部１０４は受信信号２０２を選択する。
【００５６】
なお、受信装置１００が起動された直後の初期状態では、選択部１０４は、データ検出信号２０６にはよらずに、受信信号２０２または受信信号２０３のいずれか一方を選択すればよい。そうすることによって、処理部１０５に受信信号２０４が入力されるので、処理部１０５が受信信号２０４中の受信すべきデータの検出を行うことができる。
【００５７】
さらに、図１２の、受信装置１１０のように、データ検出信号２０６が出力されたとき、第２の受信部１０２の動作を許可し、第１の受信部１０１の動作を禁止してもよい。逆に、データ検出信号２０４が出力されていないときは、第１の受信部１０２の動作が許可され、第２の受信部１０１の動作が禁止されてもよい。このとき、動作が禁止されたときの、第１の受信部１０１および第２の受信部１０２の消費電力、発熱量は、動作が許可されているときよりも小さくなることが好ましい。
【００５８】
あるいは、図１３の、受信装置１２０のように、第２の選択部１０６を備えてもよい。第２の選択部１０６は、データ検出信号２０６が出力されたとき、入力信号２０１を第２の受信部１０２に入力し、パケット検出信号２０４が出力されていないとき、入力信号２０１を第１の受信部１０１に入力する。このとき、入力信号２０１が入力されていないときの、第１の受信部１０１および第２の受信部１０２の消費電力、発熱量は、入力信号２０１が入力されているときよりも好適に小さい。さらに、図１２の受信装置１１０のように、データ検出信号２０６を用いて、選択されていない方の受信部の動作が禁止されてもよい。
【００５９】
なお、本実施形態では、受信部を２個具えるが、３個以上あってもよい。その場合、受信信号２０１中に受信すべきデータが存在しないときの特性が最も好ましい受信部が、データが検出されないときに選択されればよい。
【００６０】
また、受信装置１００は、入力信号中の受信すべきデータの有無に基づいて、第１の受信部または第２の受信部を選択し、受信処理を行うため、入力信号２０１の形態には制限がない。従って、入力信号２０１は無線信号、有線信号のいずれであってもよい。
【００６１】
以上のように、第２の実施形態の受信装置は、入力信号中の受信すべきデータの有無に基づいて、第１の受信部または第２の受信部を選択する。従って、入力信号中の受信すべきデータの有無に応じて、より適切な特性を備える受信部を選択することができるという効果がある。
【００６２】
（第３の実施形態）
入力信号中のパケットの有無の検出は、受信部を用いて行われてもよい。図１４は、本発明の第３の実施形態の受信装置の構成を示すブロック図である。
本実施形態の受信装置１３０は、第1の受信部１０１、第２の受信部１０２、および選択部１０４を備える。第１の受信部１０１と、第２の受信部１０２は、第２の実施形態と同様に、受信動作に関して異なる特性を備える。
【００６３】
第１の受信部１０１は、入力信号２０１内に受信すべきデータを検出しないとき、データ非検出信号２０７を出力する。第２の受信部１０２は、入力信号２０１内の受信すべきデータを検出したとき、データ検出信号２０８を出力する。
【００６４】
第１の受信部１０１は、データ検出信号２０８が出力されたとき、第１の受信信号２０２の出力を停止する。第１の受信部１０１は、データ検出信号２０８が出力されないとき、入力信号２０１を入力し、所定の受信処理を行い、受信信号２０２を出力する。
【００６５】
第２の受信部１０２は、データ非検出信号２０７が出力されたとき、第２の受信信号２０３の出力を停止する。第２の受信部１０２は、データ非検出信号２０７が出力されないとき、入力信号２０１を入力し、所定の受信処理を行い、受信信号２０３を出力する。
【００６６】
選択部１０４は、データ非検出信号が出力されたとき第１の受信信号を選択し、データ検出信号が出力されたとき第２の受信信号を選択し、第３の受信信号２０４を出力する。
【００６７】
以上の説明から明らかなように、受信装置１３０では、入力信号中の受信すべきデータの有無に基づいて、常に、第１の受信部１０１または第２の受信部１０２の一方のみが動作し、受信信号を出力する。
このように、第３の実施形態の受信装置は、入力信号中の受信すべきデータの有無に基づいて、第１の受信部または第２の受信部を選択する。従って、入力信号中の受信すべきデータの有無に応じて、より適切な特性を備える受信部を選択することができるという効果がある。
【００６８】
さらに、第３の実施形態の受信装置は、受信部によって入力信号中の受信すべきデータの有無を検出する。そのため、データ検出部が設けられる必要がない。また、入力信号２０１が所定のフレーム構造をもっており、フレーム解析が必要である場合等、受信すべきデータの有無の判定に複雑な処理を要する場合にも対応することができるという効果がある。
【産業上の利用可能性】
【００６９】
本発明は、携帯電話その他の無線通信システムで用いられる電気通信技術の分野に適用することができる。
【符号の説明】
【００７０】
１    前処理部
２    選択制御部
３    選択部４    ＲＡＫＥ受信部
５    等化受信部
６    復号部
６ａ  ＨＳ−ＳＣＣＨ復号部
６ｂ  ＨＳ−ＰＤＳＣＨ復号部
７    パケット検出部
１０１  第１の受信部
１０２  第２の受信部
１０３  データ検出部
１０４  選択部
１０５  処理部
１０６  第２の選択部
２０１  入力信号
２０２、２０３、２０４  受信信号
２０５  処理後受信信号
２０６  データ検出信号
２０７  データ非検出信号
２０８  データ検出信号
【図１】
2010128612.tif 000003
【図２】
2010128612.tif 000004
【図３】
2010128612.tif 000005
【図４】
2010128612.tif 000006
【図５】
2010128612.tif 000007
【図６】
2010128612.tif 000008
【図７】
2010128612.tif 000009
【図８】
2010128612.tif 000010
【図９】
2010128612.tif 000011
【図１０】
2010128612.tif 000012
【図１１】
2010128612.tif 000013
【図１２】
2010128612.tif 000014
【図１３】
2010128612.tif 000015
【図１４】
2010128612.tif 000016
【国際調査報告】
2010128612.tif 000017
2010128612.tif 000018
2010128612.tif 000019